(57)【特許請求の範囲】
【請求項１】
発信側として動作する場合に、周辺環境の音量レベルを測定し、測定結果を着信側通信装置へ送信する発信制御部と、
受話音量のデフォルト値である基準受話音量値を記憶するための記憶部と、
着信を検出して着信側として動作する場合に、前記記憶部から基準受話音量値を読み出し、前記基準受話音量値以下であって、かつ発信側通信装置から受信した周辺環境の音量レベルが大きいほど受話音量が小さくなるように規定された音量値をスピーカの受話音量として設定する着信制御部と、
を有することを特徴とする通信装置。
【請求項２】
発信側として動作する場合に、周辺環境の音量レベルを測定し、測定結果を着信側通信装置へ送信する発信制御部と、
ユーザ毎の電話帳情報とユーザ固有の基準受話音量値とをユーザ毎に対応付けて電話帳データとして記憶することが可能な記憶部と、
着信を検出して着信側として動作する場合に、前記記憶部から発信者の電話帳データを読み出し、発信者の電話帳データに記憶されている前記ユーザ固有の基準受話音量値以下であって、かつ発信側通信装置から受信した周辺環境の音量レベルが大きいほど受話音量が小さくなるように規定された音量値をスピーカの受話音量として設定する着信制御部と、
を有することを特徴とする通信装置。
【請求項３】
前記発信制御部は、電話番号を入力するためのキー入力検出に応じて、周辺環境の音量レベルを測定する、
ことを特徴とする請求項１または２に記載の通信装置。
【請求項４】
前記発信制御部は、前記周辺環境の音量レベルをＳＥＴＵＰ信号に付加して送信する、
ことを特徴とする請求項１〜３のいずれか１つに記載の通信装置。
【請求項５】
スピーカの受話音量を設定する受話音量設定プログラムであって、
着信を検出した場合に、発信側通信装置から受信したＳＥＴＵＰ信号を解析し、
前記ＳＥＴＵＰ信号に前記発信側通信装置の周辺環境の音量レベルが付加されている場合に、記憶部に記憶された受話音量のデフォルト値である基準受話音量値を読み出し、前記基準受話音量値以下であって、かつ前記周辺環境の音量レベルが大きいほど受話音量が小さくなるように規定された音量値を前記スピーカの受話音量として設定する、
処理をコンピュータに実行させることを特徴とする受話音量設定プログラム。
【請求項６】
スピーカの受話音量を設定する受話音量設定プログラムであって、
着信を検出した場合に、発信側通信装置から受信したＳＥＴＵＰ信号を解析し、
前記ＳＥＴＵＰ信号に前記発信側通信装置の周辺環境の音量レベルが付加されている場合に、記憶部に記憶されたユーザ毎の電話帳情報とユーザ固有の基準受話音量値とをユーザ毎に対応付けた電話帳データから、発信者の電話帳データを読み出し、発信者の電話帳データに記憶されている前記ユーザ固有の基準受話音量値以下であって、かつ前記周辺環境の音量レベルが大きいほど受話音量が小さくなるように規定された音量値を前記スピーカの受話音量として設定する、
処理をコンピュータに実行させることを特徴とする受話音量設定プログラム。
【発明の詳細な説明】
【技術分野】
【０００１】
本発明は、受話音量を変更可能な通信装置に関する。
【背景技術】
【０００２】
従来から、通信装置の一例である電話機には、受話音量を調節する機能が備えられている。受話音量は、通話中に加え、通話をしていないときでも調節可能となっている。また、電話機には、通常、前回の通話時の受話音量が保持され、次回の通話の際には前回の受話音量が初期受話音量として設定される。最適な受話音量は、通話する相手および通話環境等によりその都度変化するので、通話毎に手動で調節する必要がある。
【０００３】
一方で、受話音量の調節の負担を軽減させる技術として、通話する相手に起因する受話音量の設定を自動化する技術が開示されている。具体的には、特定の電話番号とこの電話番号に対応する受話音量値とを関連付けて予め電話機に記憶しておき、電話機は、通信開始時において、通話する相手の電話番号が予め記憶しておいた電話番号と一致した場合に、対応する受話音量値をスピーカに設定する。これにより、通話する相手の声の大きさ（地声）にあわせて、受話音量を最適値に設定することが可能となる。
【先行技術文献】
【特許文献】
【０００４】
【特許文献１】特開２００４−１２０２８８号公報
【発明の概要】
【発明が解決しようとする課題】
【０００５】
しかしながら、上記従来の技術は、通話する相手の通常時の声の大きさ（地声）を想定したものであり、たとえば、電車のホーム等、騒音の大きい場所での通話を想定したものではない。すなわち、通話する相手が上記騒音の大きい場所にいるような場合には、その相手は通常時よりも大きな声で通話を行うことになるため、着信側の電話機（携帯電話機等）のスピーカからは突然大きな音が出力されてしまう、という問題があった。
【０００６】
開示の技術は、上記に鑑みてなされたものであって、通話する相手の通話環境にあわせて最適な受話音量を設定可能な通信装置を提供することを目的とする。
【課題を解決するための手段】
【０００７】
本願の開示する通信装置は、一つの態様において、発信側として動作する場合に、周辺環境の音量レベルを測定し、測定結果を着信側通信装置へ送信する発信制御部と、着信側として動作する場合に、発信側通信装置から受信した周辺環境の音量レベルに基づいてスピーカの受話音量を設定する着信制御部と、を有する。
【発明の効果】
【０００８】
本願の開示する通信装置の一つの態様によれば、通話する相手の周辺環境にあわせて最適な受話音量を設定することが可能となる、という効果を奏する。
【図面の簡単な説明】
【０００９】
【図１】図１は、通信装置の一例である携帯電話機の構成例を示す図である。
【図２】図２は、携帯電話機の外観の一例を示す図である。
【図３】図３は、携帯電話機の外観の一例を示す図である。
【図４】図４は、発信側の携帯電話機の処理を示すフローチャートである。
【図５】図５は、着信側の携帯電話機の処理を示すフローチャートである。
【図６】図６は、発信側の携帯電話機のプロセッサによる「周辺環境音測定」処理を示すフローチャートである。
【図７】図７は、発信側の携帯電話機のプロセッサによる「音量レベル付与発信」処理を示すフローチャートである。
【図８】図８は、着信側の携帯電話機のプロセッサによる「受話音量設定」処理を示すフローチャートである。
【図９】図９は、着信側の携帯電話機のプロセッサによる実施例２の「受話音量設定」処理を示すフローチャートである。
【図１０】図１０は、電話帳データの一例を示す図である。
【発明を実施するための形態】
【００１０】
以下に、本願の開示する通信装置および受話音量設定プログラムの実施例を図面に基づいて詳細に説明する。なお、以下の実施例では、通信装置の一例として携帯電話機について説明を行うが、この実施例によりこの発明が限定されるものではなく、本願開示の技術は、固定電話回線用の電話機等、通話ができるものであれば同様に適用可能である。
【実施例１】
【００１１】
図１は、通信装置の一例である携帯電話機の構成例を示す図である。また、図２および図３は、携帯電話機の外観の一例を示す図である。図１において、本実施例の携帯電話機は、プロセッサ１と無線通信部２と音声入出力部３と表示部４と、ＲＯＭおよびＲＡＭを有する記憶部５と、図２等に示す操作キー１１１，１１２を含むキー入力部６と、アンテナ７とスピーカ８とマイク９とを有する。
【００１２】
プロセッサ１は、本実施例の受話音量設定プログラム等を実行する。無線通信部２は、プロセッサ１の制御により、アンテナ７を介して通話データ等を送受信する。音声入出力部３は、プロセッサ１の制御により、スピーカ８への音声出力処理（ＯＮ／ＯＦＦ処理）およびマイク９からの音声入力処理（ＯＮ／ＯＦＦ処理）を行う。表示部４はディスプレイであり、プロセッサ１の制御により画面の表示処理を行う。記憶部５は、ＲＯＭ，ＲＡＭ等のメモリである。キー入力部６は、操作キー等である。
【００１３】
また、記憶部５には、本実施例の受話音量設定プログラム等の各種プログラムが予め記憶されている。そして、プロセッサ１が、これらのプログラムを読み出して実行することにより、以下に説明する各処理を実現するプロセスが起動される。
【００１４】
また、図２には、本実施例の携帯電話機の表示側筐体をスライドさせていない状態の外観が示され、図３には、本実施例の携帯電話機の表示側筐体をスライドさせて開いた状態の外観が示されている。図２，図３に示すように、本実施例の携帯電話機は、表示側筐体１０１と操作側筐体１０２とを備える。表示側筐体１０１と操作側筐体１０２は、図示しないスライド機構を介してスライド移動可能に連結されている。図２は、表示側筐体１０１がスライドされておらず、表示側筐体１０１と操作側筐体１０２とが全面的に重なり合っている閉状態を示している。また、図３は、表示側筐体１０１がスライドされ、表示側筐体１０１と操作側筐体１０２とが最小の重なり範囲で重なった開状態を示している。
【００１５】
表示側筐体１０１には、各種画面を表示する表示部１０３や、携帯電話機の各種操作を行うための操作モジュールであるフロントキーモジュール１０４等が収容される。
【００１６】
操作側筐体１０２には、携帯電話機の各種操作を行うためのキーモジュール１０５等が収容される。また、操作側筐体１０２には、携帯電話機の通信に関する信号処理、および表示部１０３に文字や画像を表示させるための信号処理等の各種処理を行う部品が搭載された本体プリント基板モジュールが収容される。また、操作側筐体１０２の側面には、たとえば、受話音量を調節するための操作キー１１１，１１２が設けられている。図２，図３に示す携帯電話機においては、たとえば、通話中に、操作キー１１１を押下することにより受話音量を大きくすることができ、操作キー１１２を押下することにより受話音量を小さくすることができる。なお、受話音量の調節の仕方は、一例であり、電話機により異なる。
【００１７】
つづいて、上記本実施例の携帯電話機における受話音量設定方法を図面に従い詳細に説明する。本実施例では、発信側の携帯電話機が、周辺環境の音量レベルを測定して通知し、着信側の携帯電話機が、発信者の周辺環境の音量レベルに基づいて受話音量を設定する。
【００１８】
図４は、発信側の携帯電話機の処理を示すフローチャートであり、図５は、着信側の携帯電話機の処理を示すフローチャートである。なお、発信側および着信側の携帯電話機は、それぞれ図１に示すハードウェア構成を有するものとする。また、各携帯電話機は、説明の便宜上、発信側または着信側のいずれかの処理を実行しているが、発信側および着信側の両方の処理を実行可能である。
【００１９】
図４において、発信側の携帯電話機のプロセッサ１は、キー入力部６の操作によるキー入力を検出した場合に（Ｓ１）、電話帳を参照する操作であるか、通話履歴を参照する操作であるか、電話番号入力操作であるか、を判断する（Ｓ２，Ｓ３，Ｓ４）。いずれの操作でもない場合（Ｓ２，Ｎｏ、Ｓ３，Ｎｏ、Ｓ４，Ｎｏ）、プロセッサ１は、受話音量設定方法に関する処理を終了する。一方、いずれかの操作に該当する場合（Ｓ２，Ｙｅｓ、Ｓ３，Ｙｅｓ、Ｓ４，Ｙｅｓ）、プロセッサ１は、「周辺環境音測定」処理を実施する（Ｓ５）。上記いずれかの操作タイミングで「周辺環境音測定」を実施することにより、発信時の騒音レベルを着信側の携帯電話機に伝えることができる。
【００２０】
図６は、発信側の携帯電話機のプロセッサ１による「周辺環境音測定」処理を示すフローチャートである。まず、プロセッサ１は、マイク９をＯＮ状態とするように音声入出力部３に対し指示を行う（Ｓ１１１）。つぎに、プロセッサ１は、マイク９からの入力に基づき所定の時間にわたって（たとえば１〜５秒程度）周辺環境の音量レベルを測定する（Ｓ１１２）。その後、プロセッサ１は、マイク９をＯＦＦ状態とするように音声入出力部３に対し指示を行い（Ｓ１１３）、「周辺環境音測定」を終了する。
【００２１】
Ｓ５における「周辺環境音測定」処理が終了した後、プロセッサ１は、キー入力部６の操作による「発信」を待つ（Ｓ６，Ｎｏ）。キー入力部６の操作による「発信」を検出した場合（Ｓ６，Ｙｅｓ）、プロセッサ１は、つぎに「音量レベル付与発信」処理を行う（Ｓ７）。
【００２２】
図７は、発信側の携帯電話機のプロセッサ１による「音量レベル付与発信」処理を示すフローチャートである。プロセッサ１は、Ｓ５にて測定した周辺環境の音量レベルを、ＳＥＴＵＰ信号に付加する（Ｓ１２１）。ＳＥＴＵＰ信号にはユーザが使用する任意のデータを設定可能なユーザデータ部が設定されており、プロセッサ１は、このユーザデータ部に周辺環境の音量レベルに関する情報を追加する。そして、プロセッサ１は、周辺環境の音量レベルが付加されたＳＥＴＵＰ信号を、無線通信部２およびアンテナ７を介して着信側の携帯電話機に送信し（Ｓ１２２）、「音量レベル付与発信」を終了する。ＳＥＴＵＰ信号を利用することにより、新たに専用の信号を生成することなく、周辺環境の音量レベルを着信側の携帯電話機に通知することができる。
【００２３】
一方、図５において、着信側の携帯電話機のプロセッサ１は、着信待ちの状態で（Ｓ１１，Ｎｏ）アンテナ７および無線通信部２を介して着信を検出した場合に（Ｓ１１，Ｙｅｓ）、ＳＥＴＵＰ信号の解析処理を行う（Ｓ１２）。具体的には、プロセッサ１は、受信したＳＥＴＵＰ信号に、上述した周辺環境の音量レベルが設定されているかどうかを判断する。たとえば、設定されていない場合（Ｓ１３，Ｎｏ）、プロセッサ１は、発信側の周辺環境に基づく受話音量の設定処理を実行せずに、前回の通話時の受話音量値を記憶部５から読み出し、この受話音量値を初期受話音量として設定する。そして、所定の着信処理により通話を開始する（Ｓ１５）。一方、周辺環境の音量レベルが設定されている場合には（Ｓ１３，Ｙｅｓ）、プロセッサ１は、その周辺環境の音量レベルに応じた受話音量値を初期受話音量として設定し（Ｓ１４）、その後、所定の着信処理により通話を開始する（Ｓ１５）。
【００２４】
ここで、上記Ｓ１４における「受話音量設定」に関する処理の一例を具体的に説明する。図８は、着信側の携帯電話機のプロセッサ１による「受話音量設定」処理を示すフローチャートである。本実施例では、一例として、１２０ｄＢ程度までの騒音を前提とする。また、本実施例では、記憶部５に、基準受話音量値（購入時に設定されている受話音量のデフォルト値）が予め記憶されているものとする。
【００２５】
まず、プロセッサ１は、記憶部５から基準受話音量値を読み出す（Ｓ１３１）。つぎに、プロセッサ１は、ＳＥＴＵＰ信号に設定された周辺環境の音量レベルが騒音としてどのくらいのレベルであるのかを判断する（Ｓ１３２）。
【００２６】
たとえば、周辺環境の音量レベルが６０ｄＢ未満の場合（Ｓ１３３，Ｙｅｓ）、プロセッサ１は、音声入出力部３を介して、基準受話音量値を初期受話音量としてスピーカ８に設定する（Ｓ１３４）。また、周辺環境の音量レベルが６０ｄＢ以上７０ｄＢ未満の場合（Ｓ１３３，Ｎｏ、Ｓ１３５，Ｙｅｓ）、プロセッサ１は、音声入出力部３を介して、基準受話音量値から２段階レベルを下げた値を初期受話音量としてスピーカ８に設定する（Ｓ１３６）。また、周辺環境の音量レベルが７０ｄＢ以上８０ｄＢ未満の場合（Ｓ１３５，Ｎｏ、Ｓ１３７，Ｙｅｓ）、プロセッサ１は、音声入出力部３を介して、基準受話音量値から４段階レベルを下げた値を初期受話音量としてスピーカ８に設定する（Ｓ１３８）。また、周辺環境の音量レベルが８０ｄＢ以上９０ｄＢ未満の場合（Ｓ１３７，Ｎｏ、Ｓ１３９，Ｙｅｓ）、プロセッサ１は、音声入出力部３を介して、基準受話音量値から６段階レベルを下げた値を初期受話音量としてスピーカ８に設定する（Ｓ１４０）。また、周辺環境の音量レベルが９０ｄＢ以上の場合（Ｓ１３９，Ｎｏ）、プロセッサ１は、音声入出力部３を介して、基準受話音量値から８段階レベルを下げた値を初期受話音量としてスピーカ８に設定する（Ｓ１４１）。
【００２７】
すなわち、プロセッサ１は、発信側の騒音（周辺環境の音量レベル）が大きいほど、通話する相手の声が本人の地声よりも大きくなることを予測し、初期受話音量として基準受話音量値以下の値を設定する。また、本実施例では、初期受話音量の設定を、発信側の騒音に応じて段階的に行っている。
【００２８】
なお、６０ｄＢ以下の音量レベルとなる場所は、一例として、事務所内，ホテルのロビー等が該当する。また、６０ｄＢ以上７０ｄＢ未満の音量レベルとなる場所は、一例として、百貨店等が該当する。また、７０ｄＢ以上８０ｄＢ未満の音量レベルとなる場所は、一例として、道路上等が該当する。また、８０ｄＢ以上９０ｄＢ未満の音量レベルとなる場所は、一例として、工場等が該当する。また、９０ｄＢ以上の音量レベルとなる場所は、一例として、地下鉄車内，電車駅等が該当する。
【００２９】
また、図８では、騒音のレベルを１０ｄＢ単位に判断しているが、これに限らず、判断方法は任意である。また、図８では、基準受話音量値の下げ幅を２段階毎としているが、これに限らず、下げ幅は任意である。
【００３０】
また、着信側の携帯電話機のプロセッサ１は、表示部４におけるディスプレイ上に、発信者の周辺環境の音量レベルを数値（ｄＢ）として表示させることが可能である。また、表示部４におけるＬＥＤを発光させることにより、発信者の周辺環境の音量レベルの強弱を表現することも可能である。
【００３１】
上述してきたように、本実施例では、発信側の携帯電話機が、周辺環境の音量レベルを測定して着信側の携帯電話機に通知し、着信側の携帯電話機が、発信者の周辺環境の音量レベルに基づいて受話音量を設定することとした。これにより、発信側の騒音が原因で着信側の携帯電話機のスピーカから大きな音が出力される問題が改善され、通話する相手の周辺環境にあわせて最適な受話音量を設定することが可能となる。
【実施例２】
【００３２】
以下、実施例２の受話音量設定方法について説明する。実施例２では、ユーザ毎に基準受話音量値を記憶しておき、発信者の周辺環境の音量レベルおよびユーザ毎に固有の基準受話音量値に基づいて、受話音量を設定する。なお、通信装置の一例である携帯電話機のハードウェア構成および外観については、実施例１と同様である。本実施例では、実施例１と異なる処理について説明する。詳細には、実施例１と異なる「受話音量設定」処理について説明する。
【００３３】
図９は、着信側の携帯電話機のプロセッサ１による実施例２の「受話音量設定」処理を示すフローチャートである。なお、本実施例においては、記憶部５に、基準受話音量値（購入時に設定されている受話音量のデフォルト値）および後述する電話帳データが予め記憶されているものとする。
【００３４】
図９において、プロセッサ１は、まず、記憶部５から通話する相手の電話帳データを読み出し、この電話帳データにユーザ固有の基準受話音量値が登録されているかどうかを検索する（Ｓ１５１）。図１０は、電話帳データの一例を示す図である。本実施例においては、通常の電話帳情報（名前、電話番号、メールアドレス等）に加え、ユーザ固有の基準受話音量値が登録可能である。
【００３５】
上記Ｓ１５１の処理において、たとえば、ユーザ固有の基準受話音量値が登録されていない場合（Ｓ１５１，Ｎｏ）、プロセッサ１は、実施例１と同様の処理で図８のＳ１３１〜Ｓ１４１の処理を実行する（Ｓ１５３）。一方、ユーザ固有の基準受話音量値が登録されている場合には（Ｓ１５１，Ｙｅｓ）、プロセッサ１は、通信する相手の電話帳データから基準受話音量値を抽出する（Ｓ１５２）。そして、プロセッサ１は、ＳＥＴＵＰ信号に設定された周辺環境の音量レベルが騒音としてどのくらいのレベルであるのかを判断し（Ｓ１３２）、以降、Ｓ１５２で読み出した基準受話音量値を用いて、Ｓ１３３〜Ｓ１４１の処理を実行する。
【００３６】
このように、本実施例では、着信側の携帯電話機が、発信者の周辺環境の音量レベルおよびユーザ毎に固有の基準受話音量値に基づいて、受話音量を設定する。これにより、発信側の騒音および通話する相手に応じた受話音量の設定が可能となる。
【符号の説明】
【００３７】
１  プロセッサ
２  無線通信部
３  音声入出力部
４  表示部
５  記憶部
６  キー入力部
７  アンテナ
８  スピーカ
９  マイク
１０１  表示側筐体
１０２  操作側筐体
１０３  表示部
１０４  フロントキーモジュール
１０５  キーモジュール
１１１，１１２  操作キー
【図１】
0005644610.tif 000002
【図２】
0005644610.tif 000003
【図３】
0005644610.tif 000004
【図４】
0005644610.tif 000005
【図５】
0005644610.tif 000006
【図６】
0005644610.tif 000007
【図７】
0005644610.tif 000008
【図８】
0005644610.tif 000009
【図９】
0005644610.tif 000010
【図１０】
0005644610.tif 000011